【手続補正書】
【提出日】平成15年6月25日(2003.6.25)
【手続補正１】
【補正対象書類名】明細書
【補正対象項目名】発明の名称
【補正方法】変更
【補正の内容】
【発明の名称】コンテンツサーバ、サーバ、受信端末および情報配信システム


【手続補正２】
【補正対象書類名】明細書
【補正対象項目名】特許請求の範囲
【補正方法】変更
【補正の内容】
【特許請求の範囲】
【請求項１】
映像情報及び又は音声情報からなるコンテンツ情報に含まれる情報を保存する情報保存手段と、
前記保存された情報に基づき、前記コンテンツ情報の要約情報を作成する作成手段と、
前記作成された要約情報を保存する要約保存手段とを備える、コンテンツサーバ。
【請求項２】
通信回線を介して配信するコンテンツ情報の要求を受付ける受付手段と、
前記要求されたコンテンツ情報をコンテンツサーバから抽出する抽出手段と、前記抽出した映像情報及び又は音声情報からなる前記コンテンツ情報に含まれる情報と、当該情報の要約情報とを同時に配信する配信手段とを備えるサーバ。
【請求項３】
前記抽出手段は、当該コンテンツ情報を前記要求した受信端末の保存可能容量に応じた容量の要約情報を抽出する要約情報抽出手段をさらに備える、請求項２に記載のサーバ。
【請求項４】
前記要約情報抽出手段は、前記コンテンツサーバに保存されている当該コンテンツの要約情報から、現在配信中のコンテンツ情報の情報以降に相当する要約情報を抽出する第１の抽出方法と、全体にわたって抜粋して抽出する第２の抽出方法と、現在配信中のコンテンツ情報の情報前後に相当する要約情報を抽出する第３の抽出方法との、少なくともいずれか１つの抽出方法を用いて要約情報を抽出する、請求項３に記載のサーバ。
【請求項５】
通信回線を介して、映像情報及び又は音声情報からなるコンテンツ情報に含まれる情報と要約情報とを同時に受信する受信手段と、
前記受信したコンテンツ情報に含まれる情報と要約情報とを分離する分離手段と、
前記分離された要約情報を一時的に保存する保存手段と、
前記分離され保存された要約情報を出力するための処理を行なう要約情報処理手段と、
前記分離された情報を出力するための処理を行なう情報処理手段と、
前記処理された前記コンテンツに含まれる情報と要約情報とを出力する出力手段とを備え、
前記出力手段は、ユーザの指示によって、情報と要約情報との少なくとも一方を切換えて出力する、受信端末。
【請求項６】
前記保存手段は、前記要約情報の容量が保存可能容量より大なるとき、すでに保存されている要約情報のうち前記出力手段で出力中の情報以降に相当する要約情報を削除し、以前に相当する要約情報を保存する第１の保存方法と、すでに保存されている要約情報のうち前記出力手段で出力中の情報以前に該当する要約情報を削除し、以降に該当する要約情報を保存する第２の保存方法と、すでに保存されている要約情報のうち前記出力手段で出力中の情報前後に該当する要約情報を保存する第３の保存方法と、すでに保存されている要約情報の全体から所定間隔で情報を削除して新たな要約情報を保存する第４の保存方法との、少なくともいずれか１つの保存方法を用いて前記要約情報を保存する、請求項５に記載の受信端末。
【請求項７】
前記出力手段は、ユーザの指示によって要約情報と情報とを切換えて出力するとき、切換え以前の出力の停止位置と、切換え以降の出力の開始位置とを一致させて出力する、請求項５または６に記載の受信端末。
【請求項８】
情報と要約情報とを含む複数のメディア情報からなるコンテンツ情報を格納する請求項１に記載のコンテンツサーバと、
前記コンテンツサーバに格納されるコンテンツ情報を通信回線を介して配信する請求項２〜４のいずれかに記載のサーバと、
前記サーバから配信されるコンテンツ情報を出力する請求項５〜７のいずれかに記載の受信端末とを含む、情報配信システム。
【手続補正３】
【補正対象書類名】明細書
【補正対象項目名】０００１
【補正方法】変更
【補正の内容】
【０００１】
【発明の属する技術分野】
この発明はコンテンツサーバ、サーバ、受信端末および情報配信システムに関し、特に、ユーザに利便性の高い情報を提供するコンテンツサーバ、サーバ、受信端末および情報配信システムに関する。


【手続補正４】
【補正対象書類名】明細書
【補正対象項目名】００１１
【補正方法】変更
【補正の内容】
【００１１】
本発明はこれらの問題に鑑みてなされたものであり、ユーザの利便性の高いストリーミングサービスの提供を行なうことのできるコンテンツサーバ、サーバ、受信端末および情報配信システムを提供することを目的とする。


【手続補正５】
【補正対象書類名】明細書
【補正対象項目名】００１２
【補正方法】変更
【補正の内容】
【００１２】
【課題を解決するための手段】
上記目的を達成するために、本発明のある局面に従うと、コンテンツサーバは、映像情報及び又は音声情報からなるコンテンツ情報に含まれる情報を保存する情報保存手段と、保存された情報に基づき、コンテンツ情報の要約情報を作成する作成手段と、作成された要約情報を保存する要約保存手段とを備える。


【手続補正６】
【補正対象書類名】明細書
【補正対象項目名】００１３
【補正方法】変更
【補正の内容】
【００１３】
本発明の他の局面に従うと、サーバは、通信回線を介して配信するコンテンツ情報の要求を受付ける受付手段と、要求されたコンテンツ情報をコンテンツサーバから抽出する抽出手段と、抽出した映像情報及び又は音声情報からなるコンテンツ情報に含まれる情報と要約情報とを同時に配信する配信手段とを備える。


【手続補正７】
【補正対象書類名】明細書
【補正対象項目名】００１４
【補正方法】変更
【補正の内容】
【００１４】
また、上述の抽出手段は、当該コンテンツ情報を要求した受信端末の保存可能容量に応じた容量の要約情報を抽出する要約情報抽出手段をさらに備えることが望ましい。


【手続補正８】
【補正対象書類名】明細書
【補正対象項目名】００１５
【補正方法】変更
【補正の内容】
【００１５】
また、上述の要約情報抽出手段は、コンテンツサーバに保存されている当該コンテンツの要約情報から、現在配信中のコンテンツ情報の情報以降に相当する要約情報を抽出する第１の抽出方法と、全体にわたって抜粋して抽出する第２の抽出方法と、現在配信中のコンテンツ情報の情報前後に相当する要約情報を抽出する第３の抽出方法との、いずれか１つの抽出方法を用いて要約情報を抽出することが望ましい。


【手続補正９】
【補正対象書類名】明細書
【補正対象項目名】００１６
【補正方法】変更
【補正の内容】
【００１６】
本発明の他の局面に従うと、受信端末は、通信回線を介して、映像情報及び又は音声情報からなるコンテンツ情報に含まれる情報と要約情報とを同時に受信する受信手段と、受信したコンテンツ情報に含まれる情報と要約情報とを分離する分離手段と、分離された要約情報を一時的に保存する保存手段と、分離され保存された要約情報を出力するための処理を行なう要約情報処理手段と、分離された情報を出力するための処理を行なう情報処理手段と、処理されたコンテンツに含まれる情報と要約情報とを出力する出力手段とを備え、出力手段は、ユーザの指示によって、情報と要約情報との少なくとも一方を切換えて出力する。


【手続補正１０】
【補正対象書類名】明細書
【補正対象項目名】００１７
【補正方法】変更
【補正の内容】
【００１７】
また、上述の保存手段は、要約情報の容量が保存可能容量より大なるとき、すでに保存されている要約情報のうち出力手段で出力中の情報以降に相当する要約情報を削除し、以前に相当する要約情報を保存する第１の保存方法と、すでに保存されている要約情報のうち出力手段で出力中の情報以前に該当する情報を削除し、以降に該当する要約情報を保存する第２の保存方法と、すでに保存されている要約情報のうち出力手段で出力中の情報前後に該当する要約情報を保存する第３の保存方法と、すでに保存されている要約情報の全体から所定間隔で情報を削除して新たな要約情報を保存する第４の保存方法との、いずれか１つの保存方法を用いて要約情報を保存することが望ましい。


【手続補正１１】
【補正対象書類名】明細書
【補正対象項目名】００１８
【補正方法】変更
【補正の内容】
【００１８】
また、上述の出力手段は、ユーザの指示によって要約情報と情報とを切換えて出力するとき、切換え以前の出力の停止位置と、切換え以降の出力の開始位置とを一致させて出力することが望ましい。


【手続補正１２】
【補正対象書類名】明細書
【補正対象項目名】００１９
【補正方法】変更
【補正の内容】
【００１９】
本発明の他の局面に従うと、情報配信システムは、情報と要約情報とを含む複数のメディア情報からなるコンテンツ情報を格納する上述のコンテンツサーバと、コンテンツサーバに格納されるコンテンツ情報を通信回線を介して配信する上述のサーバと、サーバから配信されるコンテンツ情報を出力する上述の受信端末とを含む。